(57)【要約】【課題】弾性軟質材料からなるスリーブが軸筒に対して滑ることなく、スリーブの把持感触を向上させることができる筆記具を提供する。【解決手段】筆記具は、筆記体を収容する軸筒と、軸筒の外周面に装着され、弾性軟質材料からなるスリーブと、を備える。軸筒の外周面には複数の軸方向に伸びるリブが形成されており、スリーブの内周面には該リブに嵌合する溝が形成され、該隣り合うリブの間において、スリーブと軸筒との間に空隙部が形成される。【選択図】図１
2007182049.tif 000002
【特許請求の範囲】
【請求項１】
筆記体を収容する軸筒と、軸筒の外周面に装着され、弾性軟質材料からなるスリーブと、を備える筆記具において、
スリーブの内周面には軸方向に伸びて内径方向に突出する複数の第１係合部が形成されており、
軸筒の外周面には前記第１係合部に係合する第２係合部が形成されており、
前記隣り合う第１係合部の間において、スリーブと軸筒との間に空隙部が形成される筆記具。
【請求項２】
前記スリーブの横断面の外輪郭形状は、少なくとも軸方向の一部の範囲において、非円形となった三角形以上の多角形形状をなしており、その多角形形状の角部分に対応する内周面部分に、前記第１係合部が形成される請求項１記載の筆記具。
【請求項３】
前記スリーブの横断面の外輪郭形状は、三角形形状をなしている請求項２記載の筆記具。
【請求項４】
前記スリーブは、前記多角形形状の辺部分と角部分とを有しており、辺部分は曲率が小さく、角部分は曲率が大きい請求項２記載の筆記具。
【請求項５】
前記スリーブの横断面の外輪郭形状は、少なくとも軸方向の一部の範囲において、軸方向位置に応じて変化する請求項１ないし４のいずれか１項に記載の筆記具。
【請求項６】
前記スリーブの横断面の外輪郭形状は、前記スリーブの辺部分の占める割合が、前方から後方に向って連続的に大きくなるように変化する請求項４記載の筆記具。
【請求項７】
前記軸筒は、前記スリーブが装着される前軸筒と、前軸筒の後方の後軸筒とを含み、前記後軸筒の横断面の外輪郭形状は、非円形となった三角形以上の多角形形状をなした前記スリーブの後端部の外輪郭形状と一致する請求項１ないし６のいずれか１項に記載の筆記具。
【請求項８】
後軸筒にはクリップが取り付けられており、該クリップは、スリーブ及び後軸筒の横断面の多角形形状の角部分に一致した周方向位置に取り付けられる請求項７記載の筆記具。
【請求項９】
前記軸筒の第２係合部は、軸筒の外周面から外径方向に突出する請求項１ないし８のいずれか１項に記載の筆記具。
【請求項１０】
軸筒と、軸筒の外周面に装着され、弾性軟質材料からなるスリーブと、を備える筆記具において、
スリーブの内周面には複数の軸方向に伸びるリブ及び溝のいずれか一方が形成されており、軸筒の外周面には該リブ及び溝のいずれか一方にはまり込むリブ及び溝の他方が形成され、該隣り合うリブの間において、スリーブと軸筒との間に空隙部が形成される筆記具。
【請求項１１】
軸筒と、軸筒の外周面に装着され、弾性軟質材料からなるスリーブと、を備える筆記具にクッション効果を与える方法において、
スリーブの内周面に軸方向に伸びて内径方向に突出する複数の第１係合部を形成し、
軸筒の外周面に前記第１係合部に係合する第２係合部を形成し、
前記隣り合う第１係合部の間において、スリーブと軸筒との間に空隙部を形成する、方法。
【発明の詳細な説明】
【技術分野】
【０００１】
本発明は、筆記体を収容する軸筒の少なくとも把持部位に弾性軟質材料からなるスリーブが装着された筆記具に関する。
【背景技術】
【０００２】
従来、この種の筆記具においては、弾性樹脂材料によって筒状体に成形されたスリーブを軸筒の把持部位に装着したものが多々、提案され、また市販されている。これらの中で、単に弾性樹脂材料のスリーブを軸筒の外周面に装着しただけのものは、把持した際の弾性力をスリーブ自体の弾性特性にのみ依存している。そのために、十分な把持力吸収効果または把持感触向上効果を発揮することができない、という問題がある。また、経年的に弾性樹脂材料が硬くなると、さらに、前記効果が薄れてしまう。
【０００３】
これに対して、例えば、特許文献１に記載の筆記具においては、把持感覚を向上させるために、スリーブの内周面に軸方向に伸びる凸条を複数形成しており、該凸条の突出端が軸筒の外周面に接触するようにしている。これによって、スリーブの内周面と軸筒の外周面との間に空隙部が形成される。この空隙部の存在のために、スリーブが把持されたときに、スリーブが空隙部に没入するようにして変形することができるようにして、把持感触が向上するようにしている。
【０００４】
しかしながら、この特許文献１に記載の筆記具では、スリーブの軸筒への結合力が弱く、把持したときに、スリーブが軸筒に対して移動してしまうという問題がある。
【０００５】
これに対して、さらに、特許文献２に記載の筆記具においては、スリーブの周壁に厚みを持たせて、その周壁内に軸方向に貫通した空隙部を複数形成し、該空隙部を周方向に配置している。
【０００６】
上記特許文献２に記載の筆記具によれば、スリーブが把持された際に、スリーブ周壁内の複数の空隙部の存在によって、スリーブの外周面が容易に弾性変形するようになっており、さらに、スリーブの内周面に変形を発生させず、よって、スリーブの内周面と軸筒外周面との間に滑りが生じないようにしている。
【０００７】
しかしながら、特許文献２に記載の筆記具においても、スリーブの内周面は、単に軸筒の外周面に接触しており、スリーブの摩擦力によってその位置を保持しているだけであるので、スリーブの軸筒に対する滑りを完全に防止することはできない、という問題がある。
【０００８】
【特許文献１】実開昭６３−６０３７５号公報
【特許文献２】特許第３４６４７９１号公報
【発明の開示】
【発明が解決しようとする課題】
【０００９】
本発明はかかる課題に鑑みなされたもので、スリーブが軸筒に対して滑ることなく、スリーブの把持感触を向上させることができる筆記具を提供することをその目的とする。
【課題を解決するための手段】
【００１０】
上記目的を達成するために、本発明のうち請求項１記載の発明は、筆記体を収容する軸筒と、軸筒の外周面に装着され、弾性軟質材料からなるスリーブと、を備える筆記具において、
スリーブの内周面には軸方向に伸びて内径方向に突出する複数の第１係合部が形成されており、
軸筒の外周面には前記第１係合部に係合する第２係合部が形成されており、前記隣り合う第１係合部の間において、スリーブと軸筒との間に空隙部が形成されることを特徴とする。
【００１１】
請求項２記載の発明は、請求項１記載のものにおいて、前記スリーブの横断面の外輪郭形状が、少なくとも軸方向の一部の範囲において、非円形となった三角形以上の多角形形状をなしており、その多角形形状の角部分に対応する内周面部分に、前記第１係合部が形成されることを特徴とする。
【００１２】
請求項３記載の発明は、請求項２記載の前記スリーブの横断面の外輪郭形状が、三角形形状をなしていることを特徴とする。
【００１３】
請求項４記載の発明は、請求項２記載の前記スリーブが、前記多角形形状の辺部分と角部分とを有しており、辺部分は曲率が小さく、角部分は曲率が大きいことを特徴とする。
【００１４】
請求項５記載の発明は、請求項１ないし４のいずれか１項に記載の前記スリーブの横断面の外輪郭形状が、少なくとも軸方向の一部の範囲において、軸方向位置に応じて変化することを特徴とする。
【００１５】
請求項６記載の発明は、請求項４記載の前記スリーブの横断面の外輪郭形状が、前記スリーブの辺部分の占める割合が、前方から後方に向って連続的に大きくなるように変化することを特徴とする。
【００１６】
請求項７記載の発明は、請求項１ないし６のいずれか１項に記載のものにおいて、前記軸筒は、前記スリーブが装着される前軸筒と、前軸筒の後方の後軸筒とを含み、前記後軸筒の横断面の外輪郭形状は、非円形となった三角形以上の多角形形状をなした前記スリーブの後端部の外輪郭形状と一致することを特徴とする。
【００１７】
請求項８記載の発明は、請求項７記載の前記後軸筒にはクリップが取り付けられており、該クリップは、スリーブ及び後軸筒の横断面の多角形形状の角部分に一致した周方向位置に取り付けられることを特徴とする。
【００１８】
請求項９記載の発明は、請求項１ないし８のいずれか１項に記載の前記軸筒の第２係合部は、軸筒の外周面から外径方向に突出することを特徴とする。
【００１９】
また、請求項１０記載の発明は、軸筒と、軸筒の外周面に装着され、弾性軟質材料からなるスリーブと、を備える筆記具において、
スリーブの内周面には複数の軸方向に伸びるリブ及び溝のいずれか一方が形成されており、軸筒の外周面には該リブ及び溝のいずれか一方にはまり込むリブ及び溝の他方が形成され、該隣り合うリブの間において、スリーブと軸筒との間に空隙部が形成されることを特徴とする。
【００２０】
また、請求項１１記載の発明は、軸筒と、軸筒の外周面に装着され、弾性軟質材料からなるスリーブと、を備える筆記具にクッション効果を与える方法において、
スリーブの内周面に軸方向に伸びて内径方向に突出する複数の第１係合部を形成し、
軸筒の外周面に前記第１係合部に係合する第２係合部を形成し、
前記隣り合う第１係合部の間において、スリーブと軸筒との間に空隙部を形成する、ことを特徴とする。
【発明の効果】
【００２１】
本発明によれば、スリーブに形成された第１係合部と軸筒に形成された第２係合部とが互いに係合することによって、スリーブは軸筒に対して相対回転不能となる。これによって、スリーブの軸筒に対する回転方向の滑りが防止される。
【００２２】
使用者が筆記具の把持部位を握ると、スリーブが空隙部に没入するようにして変形することができるため、把持感覚を向上させることができる。また、この変形によって指の滑り止めも行なうことができる。
【００２３】
請求項２−４記載の発明によれば、上記多角形形状は任意のものとすることができるが、三角形形状とすると、一般的な把持する指の数に一致して好都合である。上記多角形形状は辺部分と角部分とから構成することができる。その辺部分は曲率が小さく、しかしながら直線である必要はなく、その角部分は曲率が大きく、しかしながら鋭利である必要はない。
【００２４】
請求項５記載の発明によれば、把持する軸方向位置に応じて異なる把持感触が得られ、使用者は好みの把持感覚が得られるように、把持するべき軸方向位置を選択することができる。
【００２５】
請求項６記載の発明によれば、軸方向位置に応じて異なる把持感覚を使用者に与えることができ、さらに筆記具の意匠性も向上させることができる。
【００２６】
請求項７記載の発明によれば、スリーブがスリーブの装着されない軸筒の部分と整合して、筆記具の意匠性を向上させることができる。
【００２７】
請求項８記載の発明によれば、クリップとスリーブ及び前軸筒との位置決めを行なうことができる。
【００２８】
請求項９記載の発明によれば、スリーブの第１係合部の形状保持を第２係合部が担うことができ、且つ、空隙部の形状を軸筒の第２係合部が支持することができるようになり、空隙部が経年変化によってつぶれることを防ぐことができる。
【００２９】
請求項１０記載の発明によれば、スリーブに形成されたリブまたは溝のいずれか一方と軸筒に形成されたリブまたは溝のいずれか他方とを互いに係合させることによって、スリーブを軸筒に対して相対回転不能とすることができる。
【発明を実施するための最良の形態】
【００３０】
以下、図面を用いて本発明の実施の形態を説明する。
図１は、筆記具の全体図であり、図において筆記具１０は、軸筒１２を備えている。この例では、軸筒１２は、前軸筒１４と、後軸筒１６と、前軸筒１４と後軸筒１６の間に介挿された金属胴リング１５と、前軸筒１４の先端に連結される先具１８と、後軸筒１６の後端に連結される尾栓１９との複数の部品から構成される。しかしながら、これに限るものではなく、軸筒１２は、１つを含む任意の数の部品から構成することができる。また、これらの複数の部品は、一体的に連結されるか、または適宜、必要性に応じて、着脱可能に連結される。前軸筒１４はポリメチルメタクリレート（ＰＭＭＡ）やＡＢＳ樹脂といった後述のスリーブ２０よりは硬い硬質樹脂から構成される。後軸筒１６も前軸筒１４と同じ材料で構成することができる。
【００３１】
この例では、前軸筒１４は、後軸筒１６よりも外径が小さくなっている。少なくとも把持部位に該当する前軸筒１４の横断面は、基本的に真円形の外輪郭をなしており、この真円形の外輪郭から外径方向に突出し、軸方向に伸びる係合部としてのリブ１２ａが複数個（この例では３個）周方向に等間隔に形成されている。
【００３２】
軸筒１２の内部には、筆記具として機能させるための筆記体３０及びその筆記体を駆動する機構が収容されるが、公知の機構を適用することができるため、その詳細説明はここでは省略する。
【００３３】
この軸筒１２の少なくとも把持部位に該当する部分（特に前軸筒１４）の外側には、弾性軟質材料からなるスリーブ２０が装着される。弾性軟質材料は、合成ゴム、熱可塑性エラストマー、軟質合成樹脂などから選択することができる。スリーブ２０の横断面の外輪郭は、真円形ではなく、通常筆記具を把持するときに用いる指、即ち親指、人差し指及び中指の数に対応して三角形を基礎にして、これを変形した三角形形状になっている。具体的には、三角形の外輪郭の各辺に該当する部分は緩やかな曲率の小さい辺部分２０ａとなっており、且つ三角形の各頂点に該当する部分は尖がっておらず、曲率の大きい角部分２０ｂとなっている。全ての角部分２０ｂは、軸筒１２の軸を中心とする１つの真円の軌跡上にのっており、よって、角部分２０ｂの曲率半径はその真円の半径である。一方、辺部分２０ａの曲率半径は、当然、その真円の半径よりも大きい。この外輪郭形状は、前方から後方に向って、円形から変形三角形と除々に変化するように、言い換えれば、辺部分２０ａの占める部分の割合が除々に大きくなるように変化している。
【００３４】
角部分２０ｂにおいて、スリーブ２０の内周面側は、内径方向に突出した突出部分２０ｃが軸方向に形成されており、その突出部分２０ｃに軸方向に伸びる係合部としての溝２０ｄが形成される。溝２０ｄは、前記軸筒１２のリブ１２ａがはまり込むことができる寸法となっている。
【００３５】
スリーブ２０の先端部はテーパー形状となっており、先具１８に形成された凹部１８ａ内にはまり込んでいる。
【００３６】
後軸筒１６の外輪郭は、スリーブ２０の外輪郭に連続させるように形成されるとよく、これによって全体的にデザイン上の一体感を与えるとよい。具体的には、後軸筒１６の外輪郭は、前方から後方に向って、変形三角形から真円形へと除々に変化している。そして、スリーブ２０と同様に、後軸筒１６の三角形の外輪郭の各辺に該当する部分は緩やかな曲率の小さい辺部分１６ａとなっており、且つ三角形の各頂点に該当する部分は尖がっておらず、曲率の大きい角部分１６ｂとなっている。後軸筒１６には、クリップ２２が取り付けられており、クリップ２２の周方向の位置は、１つの角部分１６ｂ及び角部分２０ａの周方向位置と一致している。
【００３７】
スリーブ２０の軸筒１２への装着作業を行なう際には、スリーブ２０の先端部を、先具１８の凹部１８ａに挿入した後、スリーブ２０の後端から前軸筒１４を挿入する。このときに、リブ１２ａをスリーブ２０の溝２０ｄに合わせて挿入する。そして、前軸筒１４の先端を先具１８の後端に結合する。リブ１２ａと溝２０ｄとの位置合わせにより、スリーブ２０を簡単に軸筒１２に対して組み付けることができる。
【００３８】
以上のように構成される筆記具においては、スリーブ２０の先端部が、先具１８に形成された凹部１８ａにはまり込んでおり、後端部が金属胴リング１５に当接しているために、軸方向の位置づけがなされている。また、スリーブ２０の内周面にある溝２０ｄが、前軸筒１４の外周面にあるリブ１２ａと嵌合しており、周方向の位置づけがなされている。よって、スリーブ２０は、軸筒１２に対して回転したりすることはなく、滑らない。
【００３９】
さらに、スリーブ２０と前軸筒１４との間には、隣り合うリブ１２ａ、１２ａとの間において、空隙部２８が形成される。
【００４０】
従って、使用者が筆記具１０を使用するときに、把持するべくスリーブ２０の辺部分２０ａに指を当てると、図５に示すように、辺部分２０ａが空隙部２８内に没入して変形するために、把持力を吸収し、把持感触を向上させることができる。この辺部分２０ａの変形により指の滑り止めも行なうことができる。
【００４１】
隣り合う辺部分２０ａ及び隣り合う空隙部２８がリブ１２ａによって区切られるために、指が辺部分２０ａに自動的にガイドされる。
【００４２】
この例では、スリーブ２０を把持する軸方向位置を変えると、スリーブ２０の形状の変化により、辺部分２０ａの大きさが軸方向位置で異なっているために、把持感触が異なっている。各使用者は、所望の把持感覚が得られる位置で筆記することが可能となる。
【００４３】
スリーブ２０の角部分２０ｂは、リブ１２ａが存在しているために、辺部分２０ａと比較して変形しにくい構成となっている。そのため、クッション性の無い握りを使用者が望む場合には、角部分２０ｂを指に当てて筆記することも可能になる。
【００４４】
従来のように空隙部を弾性軟質材料によって構成していると、経年的に弾性軟質材料のリブ部分または突出部分が変形して空隙部の形状を維持することができなくなるが、本実施形態によれば、スリーブ２０の突出部分２０ｃはその溝２０ｄに係合する硬質のリブ１２ａによって補強されているために、形状保持力が高い。また、リブ１２ａによってスリーブ２０の辺部分２０ａには張力が作用する。したがって、これにより空隙部２８の形状が維持されるので、耐久性が高いものとすることができる。
【００４５】
説明した実施形態では、スリーブが主として前軸筒の外周面に装着されていたが、スリーブは、後軸筒を含む任意の軸筒の部分の外周面に装着することができる。把持部位が必ずしも前軸筒の部分とは限らず、使用者によっては軸筒の後方を把持することもあるからである。また、指先だけでなく筆記具を握る掌へクッション効果を与えることもできる。
【００４６】
また、説明した実施形態では、スリーブに溝が形成され、前軸筒にリブが形成されていたが、この構成に限ることなく、任意の係合構造を採用することができる。また、軸筒に軸を形成し、スリーブにリブを形成することでもよい。
【図面の簡単な説明】
【００４７】
【図１】本発明に係る筆記具の実施形態を表す側面図である。
【図２】図１の筆記具の全体縦断面図であるが、内部構造は図示省略している。
【図３】図１の３−３線に沿って見た断面図である。
【図４】図１の４−４線に沿って見た断面図である。
【図５】図３の使用状態を表す図である。
【符号の説明】
【００４８】
１０  筆記具
１２  軸筒
１２ａ  リブ（第２係合部）
１４  前軸筒
１６  後軸筒
２０  スリーブ
２０ａ  辺部分
２０ｂ  角部分
２０ｄ  溝（第１係合部）
【図１】
2007182049.tif 000003
【図２】
2007182049.tif 000004
【図３】
2007182049.tif 000005
【図４】
2007182049.tif 000006
【図５】
2007182049.tif 000007